(57)【要約】身体障害者を着座姿勢から直立姿勢へと引き起こす方法においては、臀部用のサポート（１２）が取り付けられるウエストベルト（１１）を備える装着帯が使用される。サポート（１２）の２つの取付体を互いに１０ｃｍ以上離すことなくウエストベルト（１１）に取り付け、サポートを臀筋下に置いて、ウエストベルトを前方上側に引くことにより、身体障害者を引き起こす。引き起こし作業の開始時においては、水平に対して約４５°で引張力を加え、徐々に角度を減少させる。この方法によれば、従来の方法に比べて、補助者の背中にかかる負担が軽減される。
2004514503.tif 000002
【特許請求の範囲】
【請求項１】
身体障害者を着座姿勢から直立姿勢へと引き起こす方法であって、ウエストベルト（１１）およびウエストベルトに取り付けられたサポート（１２）を用い、ウエストベルトを上方に引くことにより、身体障害者を直立姿勢へと引く方法において、
サポート（１２）の取付体（２８，２９）を互いに１０ｃｍ以上離すことなくウエストベルト（１１）に取り付け、サポートを臀部下に置いて、ウエストベルトを前方上側に引くことにより、身体障害者を引き起こすことを特徴とする方法。
【請求項２】
水平に対して５０°を超えない角度で引き起こし始め、引き起こし作業中に徐々に角度が減少することを特徴とする請求項１に記載の方法。
【発明の詳細な説明】
【０００１】
（発明の分野）
この発明は、身体障害者を着座姿勢から直立姿勢へと引き起こす方法であって、ウエストベルトおよびウエストベルトに取り付けられたサポートを用い、ウエストベルトを上方に引くことにより、身体障害者を直立姿勢へと引く方法に関する。
【０００２】
（技術分野）
特に年老いた人々は、自分の足で立つことができ、また、歩行器等を用いて歩くことができるが、補助者無しに着座姿勢から直立姿勢へと立ち上がることができないということが往々にある。このような人々に関して、補助者は、通常、機械的な持ち上げ装置を使用したくないと考えている。そのため、身体障害者の介助をする人々の間では、負担による損傷がしばしば発生する。
【０００３】
ＵＳ ５，８９６，８５９−Ａは、サポートストラップを有するウエストベルトを開示している。ウエストベルトに対して取り付けられるサポートストラップの２つの取付体は大きく離間しており、サポートストラップは、人の太腿部上部の下に配置される。サポートストラップは、ウエストベルトを所定の位置に保持するが、持ち上げ力を軽減させず、また、補助者の背中への負担を軽減させず、また、負担による損傷の虞も減らさない。
【０００４】
（背景技術）
本発明の目的は、身体障害者を着座姿勢から直立姿勢へと引き起こす方法であって、補助者の作業が容易で、補助者の背中への身体的な負担を軽減するとともに、被補助者も補助者も安全に感じることができる方法を提供することである。本発明は、特許請求の範囲によって規定される。
【０００５】
（発明の開示）
図示の装着帯（ハーネス）は、ウエストベルト（腰ベルト）１１と、臀部（尻）すなわちバトック、臀部の臀筋のためのサポート（支持体）１２とを備えている。これらの両方の部分は比較的幅が広く、ウエストベルトは、調整可能なバックル（留め金）１４を有する補強バンド１３を備えている。このバックルにより、ベルトは、その幅広い部分の端部同士が重なる状態で、腰の周りに固定可能である。補強バンド１３は、ベルトの周囲に、複数（ベルトのサイズに応じて例えば３〜７個）の取っ手を形成している。図１には、取っ手のうちの２つ、すなわち、取っ手１５，１６が示されている。その背面が図２に示されるサポート１２も補強バンド１７を有している。補強バンド１７は、クロージャの一方の部品２０，２１を有する２つのストラップまたはバンド１８，１９を備えている。クロージャの他方の部品２２，２３は、取付体２８，２９によってウエストベルトの中央部に一緒に取り付けられる短いストラップに固定される。補強バンド１７は２つの取っ手２４，２５を形成しており、また、サポート１２も取っ手２４，２５と交差する２つ以上の取っ手２６，２７を有している。
【０００６】
図３は、座っている被補助者に固定された装着帯を示している。また、矢印Ｄ１は、補助者が座っている人を起こすためにウエストベルトの取っ手１５，１６を最初に引く斜め前／上方向を示している。図４から分かるように、被補助者が起き上がる途中である場合、補助者は矢印Ｄ２の方向に引く。この場合、引く力は、最初の時よりも更に前方に方向付けられる。図５には、被補助者が真直ぐに立っている状態が示されている。立ち上がる終端で、引く力は、矢印Ｄ３で示されるように水平に方向付けられる。
【０００７】
引き起こし作業中、図３の距離Ａ１は、図５の距離Ａ２および図５の距離Ａ３まで連続的に長くなる。ウエストベルトの中央にサポート１２の２つの端部を取り付け且つ後部取付体が全く無いことにより、作業中、ヒップが前方に引かれ、サポート１２が連続的に激しく引張られる。補助者は、被補助者を垂直に持ち上げる必要は全く無く、引く力は、決して水平から５０°を超えない、あるいはまさに４５°である。これによって補助者の背中への負担を軽減する。したがって、補助者は被補助者の体重全体を持ち上げる必要はなく、サポート１２が体重全体を持ち上げる。補助者および被補助者は安心を感じる。このことは、心理的に重要なことである。そうでなければ、被補助者が移動中に心細く不安に思う場合も多い。起立姿勢から着座姿勢への被補助者の移動は、前述と逆の態様で行なわれ、同様に簡単である。
【０００８】
２つのストラップ１８，１９に対するウエストベルト１１の２つのクロージャ部材２０，２１は、ウエストベルトの中央に固定されて示されており、ウエストベルトのバックルはその一方側にある。被補助者が直立姿勢に近づく時にサポート１２が臀部から外れるように移動しがちであるため、２つのストラップ１８，１９があまり大きく離れることなくウエストベルトに取り付けられることは重要である。２つの取付体を１０ｃｍを越えて離間させてはならない。また、ストラップを交差させることもできる。無論、ウエストベルトは非常に長いストラップを有しているため、ファスナ２０，２２および２１，２３がウエストベルトと直接に隣接しない。
【０００９】
非常に重い人を引き起こす場合、補助者は２人であることが有益である。この場合、各補助者は、ウエストベルト１１の１つの取っ手とサポート１２の１つの取っ手とを握ることができる。
【図面の簡単な説明】
【図１】
本発明に係る方法を実行することができる装着帯の斜視図である。
【図２】
図１の詳細を後側から示している。
【図３】
図１および図２に示された装着帯の使用形態であり、着座している人を示している。
【図４】
図１および図２に示された装着帯の使用形態であり、立ち上がり途中の人を示している。
【図５】
図１および図２に示された装着帯の使用形態であり、直立している人を示している。
【国際公開パンフレット】
2004514503.tif 000003
2004514503.tif 000004
2004514503.tif 000005
2004514503.tif 000006
2004514503.tif 000007
2004514503.tif 000008
2004514503.tif 000009
【国際調査報告】
2004514503.tif 000010
2004514503.tif 000011